(57)【要約】【課題】医療機関内において同一の患者に関する適正な情報を取得するためのユーザの労力を軽減する。【解決手段】医療情報管理システム１０において、手術情報クライアント端末１８は、各々の患者に対応して手術関する術前訪問情報を取得し、取得した術前訪問情報を手術情報サーバ１６に登録する。病棟情報クライアント端末２８は、各々の患者に対応して病棟における医療行為に関するアナムネ情報を取得し、取得したアナムネ情報を病棟情報サーバ２６に登録する。手術情報クライアント端末１８は、手術情報サーバ１６に登録された術前訪問情報と病棟情報サーバ２６に登録されたアナムネ情報のうち、同一の患者に対応する術前訪問情報とアナムネ情報とを所定の項目について比較し、その比較の結果をディスプレイ６２に表示する。【選択図】図２
2008217618.tif 000002
【特許請求の範囲】
【請求項１】
第１記憶部と、
各々の患者に対応して、第１の医療行為に関する第１情報を取得する第１情報取得部と、
取得した第１情報を前記第１記憶部に格納する第１情報登録部と、
第２記憶部と、
各々の患者に対応して、第２の医療行為に関する第２情報を取得する第２情報取得部と、
取得した第２情報を前記第２記憶部に格納する第２情報登録部と、
第１の医療行為および第２の医療行為に関連する所定の項目について、同一の患者に対応する前記格納された第１情報と前記格納された第２情報とを比較する比較部と、
前記比較部による比較の結果をユーザに報知する報知部と、
を備えることを特徴とする医療情報管理システム。
【請求項２】
前記比較部は、前記所定の項目に関する情報が、前記格納された第１情報および前記格納された第２情報の各々に含まれるか否かを判定し、
前記報知部は、前記所定の項目に関する情報が、前記格納された第１情報および前記格納された第２情報の一方に含まれ、他方に含まれていない場合、その旨をユーザに報知することを特徴とする請求項１に記載の医療情報管理システム。
【請求項３】
前記比較部は、前記格納された第１情報に含まれる前記所定の項目に関する情報と、前記格納された第２情報に含まれる前記所定の項目に関する情報とを比較し、
前記報知部は、前記格納された第１情報に含まれる前記所定の項目に関する情報と、前記格納された第２情報に含まれる前記所定の項目に関する情報とが相違する場合、その旨をユーザに報知することを特徴とする請求項１に記載の医療情報管理システム。
【請求項４】
前記第１情報登録部は、所定の条件を満たす場合に、前記格納された第１情報を、前記所定の項目に関して前記格納された第２情報に一致させるよう書き換えることを特徴とする請求項１から３のいずれかに記載の医療情報管理システム。
【請求項５】
前記第１情報取得部は、前記格納された第１情報または前記格納された第２情報に含まれる少なくとも一部の情報を取得することにより、前記格納された第１情報または前記格納された第２情報に対応する患者と同一の患者に関する第１情報を取得することを特徴とする請求項１から４のいずれかに記載の医療情報管理システム。
【請求項６】
第１サーバと、
各々の患者に対応して、第１の医療行為に関する第１情報を取得し、取得した第１情報を前記第１サーバに登録する第１クライアント端末と、
第２サーバと、
各々の患者に対応して、第２の医療行為に関する第２情報を取得し、取得した第２情報を前記第２サーバに登録する第２クライアント端末と、を備え、
前記第１クライアント端末は、同一の患者に対応する前記登録された第１情報と前記登録された第２情報とを所定の項目について比較し、その比較の結果をユーザに報知することを特徴とする医療情報管理システム。
【請求項７】
前記第１クライアント端末は、前記登録された第１情報に含まれる前記所定の項目に関する情報と、前記登録された第２情報に含まれる前記所定の項目に関する情報とが相違する場合、その旨を前記第２クライアント端末に通知することを特徴とする請求項６に記載の医療情報管理システム。
【発明の詳細な説明】
【技術分野】
【０００１】
本発明は、医療情報管理システムに関し、特に、複数の医療行為に関連して別々に取得される情報を管理する医療情報管理システムに関する。
【背景技術】
【０００２】
医療機関には、例えば手術に関連する部門や病棟など、様々な部門が設置されている。このような複数の部門の各々において医療情報を管理する技術として、例えば、管理中央コンピュータがこのような複数の部門の各々に設けられたＣＲＴと接続されており、携帯スキャナにより患者に取り付けられたブレスレットの識別情報を読み取ると共に、送信された患者の識別情報などをＣＲＴに表示する医療情報管理システムが提案されている（例えば、特許文献１参照）。また、例えば、院内情報管理システムにオーダデータが登録されて作業予定データが生成され、看護師は、ＰＤＡにより作業予定データを取得して患者に医療行為を実施する病院情報システムが提案されている（例えば、特許文献２参照）。
【特許文献１】特開２００３−６７４８８号公報
【特許文献２】特開２００４−１１０８１８号公報
【発明の開示】
【発明が解決しようとする課題】
【０００３】
医療機関において、複数の部門毎に管理システムが設けられる場合がある。このように複数の管理システムが存在する場合、同一の患者に関する情報が各々の管理システムで登録され得る。このような場合、上述の特許文献に記載される技術では、管理システム毎に情報が管理されることとなり、管理システムの間で統一した情報の管理が行われない。このため、同一の患者に関するものであっても各システム毎に情報を取得しなければならず、医療機関の各システムにおいて重複した労力がかけられている。
【０００４】
本発明はこうした課題に鑑みてなされたものであり、その目的は、医療機関内において同一の患者に関する適正な情報を取得するためのユーザの労力を軽減することにある。
【課題を解決するための手段】
【０００５】
上記課題を解決するために、本発明のある態様の医療情報管理システムは、第１記憶部と、各々の患者に対応して、第１の医療行為に関する第１情報を取得する第１情報取得部と、取得した第１情報を第１記憶部に格納する第１情報登録部と、第２記憶部と、各々の患者に対応して、第２の医療行為に関する第２情報を取得する第２情報取得部と、取得した第２情報を第２記憶部に格納する第２情報登録部と、第１の医療行為および第２の医療行為に関連する所定の項目について、同一の患者に対応する格納された第１情報と格納された第２情報とを比較する比較部と、比較部による比較の結果をユーザに報知する報知部と、を備える。
【０００６】
この態様によれば、同一の患者に関する情報が複数の記憶部に格納されている場合において、双方の情報の整合状況をユーザに把握させることができる。これによりユーザは、双方の情報を容易且つ適正に整合させることが可能となるため、適正な情報を取得するためのユーザの労力を軽減することができる。
【０００７】
比較部は、所定の項目に関する情報が、格納された第１情報および格納された第２情報の各々に含まれるか否かを判定し、報知部は、所定の項目に関する情報が、格納された第１情報および格納された第２情報の一方に含まれ、他方に含まれていない場合、その旨をユーザに報知してもよい。
【０００８】
この態様によれば、例えば一方の記憶部に格納された情報に所定の項目に関する情報が含まれていないとき、ユーザは他方の情報を利用することにより所定の項目に関する情報を容易に得ることが可能となる。このため、適正な情報を取得するためのユーザの労力を軽減することができる。
【０００９】
比較部は、格納された第１情報に含まれる所定の項目に関する情報と、格納された第２情報に含まれる所定の項目に関する情報とを比較し、報知部は、格納された第１情報に含まれる所定の項目に関する情報と、格納された第２情報に含まれる所定の項目に関する情報とが相違する場合、その旨をユーザに報知してもよい。
【００１０】
この態様によれば、ユーザは相違する箇所を一致させることにより所定の項目に関する情報を容易に適正なものに整合させることができる。このため、適正な情報を取得するためのユーザの労力を軽減することができる。
【００１１】
第１情報登録部は、所定の条件を満たす場合に、格納された第１情報を、所定の項目に関して格納された第２情報に一致させるよう書き換えてもよい。この態様によれば、格納された第２情報に一致させるよう第１情報を入力するユーザの労力を軽減させることができる。
【００１２】
第１情報取得部は、格納された第１情報または格納された第２情報に含まれる少なくとも一部の情報を取得することにより、格納された第１情報または格納された第２情報に対応する患者と同一の患者に関する第１情報を取得してもよい。
【００１３】
この態様によれば、たとえば以前に第１の医療行為を実施したときに取得し格納された第１情報や、すでに第２記憶部に格納されている第２情報を利用して、同一の患者に再び第１の医療行為を実施するときに第１情報を容易に取得することができる。このため、格納された第１情報や第２情報から取得した部分の情報についてはユーザが入力する必要がなくなるため、ユーザの労力を軽減させることができる。
【００１４】
本発明の別の態様もまた、医療情報管理システムである。この医療情報管理システムは、第１サーバと、各々の患者に対応して、第１の医療行為に関する第１情報を取得し、取得した第１情報を第１サーバに登録する第１クライアント端末と、第２サーバと、各々の患者に対応して、第２の医療行為に関する第２情報を取得し、取得した第２情報を第２サーバに登録する第２クライアント端末と、を備える。第１クライアント端末は、同一の患者に対応する登録された第１情報と登録された第２情報とを所定の項目について比較し、その比較の結果をユーザに報知する。
【００１５】
この態様によれば、同一の患者に関する情報が複数のサーバに登録されている場合において、双方の情報の整合状況をいずれかのクライアント端末のユーザに把握させることができる。これによりユーザは、双方の情報を容易且つ適正に整合させることが可能となるため、適正な情報を取得するためのユーザの労力を軽減することができる。
【００１６】
第１クライアント端末は、登録された第１情報に含まれる所定の項目に関する情報と、登録された第２情報に含まれる所定の項目に関する情報とが相違する場合、その旨を第２クライアント端末に通知してもよい。
【００１７】
この態様によれば、例えば第２情報を第１情報に整合させる必要がある場合に、第２クライアント端末のユーザにその旨を知らせることができる。これにより第２クライアントのユーザは、第２情報を容易且つ適正に第１情報に整合させることが可能となるため、適正な情報を取得するためのユーザの労力を軽減することができる。
【００１８】
なお、以上の構成要素の任意の組合せや、本発明の構成要素や表現を方法、装置、コンピュータプログラム、コンピュータプログラムを格納した記録媒体などの間で相互に置換したものもまた、本発明の態様として有効である。
【発明の効果】
【００１９】
本発明の医療情報管理システムによれば、医療機関内において同一の患者に関する適正な情報を取得するためのユーザの労力を軽減することができる。
【発明を実施するための最良の形態】
【００２０】
以下、図面を参照して本発明の実施の形態（以下、「実施形態」という。）について詳細に説明する。
【００２１】
図１は、本実施形態に係る医療情報管理システム１０の全体構成図である。医療情報管理システム１０は、手術情報管理システム１２および病棟情報管理システム１４を有する。
【００２２】
手術情報管理システム１２は、１つの手術情報サーバ１６および複数の手術情報クライアント端末１８を有する。手術情報管理システム１２は手術室部門内に設置されるシステムであり、手術情報サーバ１６および手術情報クライアント端末１８はこの手術室部門に配置される。手術情報サーバ１６および複数の手術情報クライアント端末１８の各々は手術室ネットワーク２０によって相互に接続されている。
【００２３】
病棟情報管理システム１４は、１つの病棟情報サーバ２６および複数の病棟情報クライアント端末２８を有する。病棟情報管理システム１４は病棟に設置されるシステムであり、病棟情報サーバ２６および病棟情報クライアント端末２８は、この病棟内に配置される。病棟情報サーバ２６および病棟情報クライアント端末２８の各々は、病棟ネットワーク３０によって相互に接続されている。なお、手術室部門と病棟の各々にシステムが設けられる医療情報管理システム１０を例として以下説明するが、医療情報管理システム１０に、例えば内視鏡検査部門や病理検査部門など、他の部門のシステムが含まれてもよいことは勿論である。
【００２４】
手術室ネットワーク２０はルータ２２を介してネットワーク３４に接続されている。また、病棟ネットワーク３０はルータ３２を介してネットワーク３４に接続されている。このため、手術情報サーバ１６、手術情報クライアント端末１８、病棟情報サーバ２６、および病棟情報クライアント端末２８は、手術室ネットワーク２０、病棟ネットワーク３０、およびネットワーク３４を介して相互にデータの送受信が可能となっている。
【００２５】
図２は、本実施形態に係る医療情報管理システム１０の機能ブロック図である。なお、図２において手術情報サーバ１６、手術情報クライアント端末１８、病棟情報サーバ２６、および病棟情報クライアント端末２８は、各種演算処理を実行するＣＰＵ、各種制御プログラムを格納するＲＯＭ、データ格納やプログラム実行のためのワークエリアとして利用されるＲＡＭなどのハードウェア、およびソフトウェアの連携によって実現される機能ブロックが描かれている。したがって、これらの機能ブロックはハードウェアおよびソフトウェアの組合せによって様々な形で実現することができる。
【００２６】
手術情報サーバ１６は、送信部４０、受信部４２、および記憶部４４を有する。送信部４０は手術室ネットワーク２０を介して情報を送信し、受信部４２は手術室ネットワーク２０を介して情報を受信する。記憶部４４は、後述する術前訪問情報などの内容情報を格納する。
【００２７】
手術情報クライアント端末１８は、端末本体４６、ディスプレイ６２、キーボード６４、およびマウス６６を有する。端末本体４６は、送信部４８、受信部５０、術前訪問情報取得部５２、指示入力取得部５４、術前訪問情報登録部５６、比較部５８、および表示制御部６０を有する。送信部４８は手術室ネットワーク２０を介して情報を送信し、受信部５０は手術室ネットワーク２０を介して情報を受信する。
【００２８】
医師または看護師は、手術の前に手術の対象となる患者を訪問するなどして、手術に必要な手術情報としての術前訪問情報を得る。こうして得られた術前訪問情報は、医師または看護師などによりキーボード６４やマウス６６を使って手術情報クライアント端末１８に入力される。術前訪問情報取得部５２は、このようにして入力された術前訪問情報を取得する。
【００２９】
指示入力取得部５４は、キーボード６４やマウス６６を使ってユーザにより入力された様々な指示入力を取得する。術前訪問情報登録部５６は、術前訪問情報取得部５２によって取得された術前訪問情報を手術情報サーバ１６に登録する。なお、本実施形態において「手術情報サーバ１６に登録する」とは、ある情報を手術情報サーバ１６に送信し、手術情報サーバ１６の記憶部４４がその情報を外部から参照可能に格納することをいう。
【００３０】
比較部５８は、手術情報サーバ１６に登録された術前訪問情報と、後述する病棟情報サーバ２６に登録されたアナムネ情報とを比較する。表示制御部６０は画像データを生成し、生成した画像データを利用してディスプレイ６２に画像を表示させる。表示制御部６０およびディスプレイ６２は、視覚を通じてユーザに情報を報知する報知部として機能する。
【００３１】
病棟情報サーバ２６は、送信部７０、受信部７２、および記憶部７４を有する。送信部７０は病棟ネットワーク３０を介して情報を送信し、受信部７２は病棟ネットワーク３０を介して情報を受信する。記憶部７４は、後述するアナムネ情報などの情報を格納する。
【００３２】
病棟情報クライアント端末２８は、端末本体７６、ディスプレイ９２、キーボード９４、およびマウス９６を有する。端末本体７６は、送信部７８、受信部８０、アナムネ情報取得部８２、指示入力取得部８４、アナムネ情報登録部８６、比較部８８、および表示制御部９０を有する。送信部７８は病棟ネットワーク３０を介して情報を送信し、受信部８０は病棟ネットワーク３０を介して情報を受信する。
【００３３】
病棟では、入院する患者に看護師が問診し、病棟で提供する医療行為に関連する病棟情報として利用されるアナムネ情報を得る。こうして得られたアナムネ情報は、看護師によりキーボード９４やマウス９６を使って病棟情報クライアント端末２８に入力される。アナムネ情報取得部８２は、このようにして入力されたアナムネ情報を取得する。
【００３４】
指示入力取得部８４は、キーボード９４やマウス９６を使ってユーザにより入力された様々な指示入力を取得する。アナムネ情報登録部８６は、アナムネ情報取得部８２によって取得されたアナムネ情報を病棟情報サーバ２６に登録する。本実施形態において「病棟情報サーバ２６に登録する」とは、ある情報を病棟情報サーバ２６に送信し、病棟情報サーバ２６の記憶部７４がその情報を外部から参照可能に格納することをいう。
【００３５】
比較部８８は、病棟情報サーバ２６に登録されたアナムネ情報と、手術情報サーバ１６に登録された術前訪問情報とを比較する。表示制御部９０は画像データを生成し、生成した画像データを利用してディスプレイ９２に画像を表示させる。表示制御部９０およびディスプレイ９２は、視覚を通じてユーザに情報を報知する報知部として機能する。
【００３６】
図３は、本実施形態に係る医療情報管理システム１０の動作手順の一例を示すフローチャートである。以下、必要に応じて図４〜図７に示す各画面を参照しながら医療情報管理システム１０の動作手順について説明する。
【００３７】
表示制御部９０は、ユーザにより所定の入力操作が行われることにより、図４に示すアナムネ情報画面１０２をディスプレイ９２に表示する。看護師などのユーザは、このアナムネ情報画面１０２を使って病棟情報クライアント端末２８にアナムネ情報を入力する（Ｓ１０）。アナムネ情報画面１０２には、アナムネ情報リスト１０４、登録ボタン１０６、および術前訪問情報取り込みボタン１０８が表示される。アナムネ情報リスト１０４には、例えば担当看護師や、感染症、検査、リスク、障害、および心理などの項目毎にリスト化されている。
【００３８】
ユーザにより、これらの項目がクリックされると、表示制御部９０は、クリックされた項目について、図５に示すアナムネ情報入力画面１１０をディスプレイ９２に表示する。アナムネ情報入力画面１１０は、項目情報リスト１１２、ＯＫボタン１１４、およびキャンセルボタン１１６を有する。ユーザにより項目情報リスト１１２がクリックされると、クリックされた入力値の欄が入力可能状態となる。ユーザは、この状態でキーボード９４およびマウス９６を使ってアナムネ情報を入力する。図５には、ＨＢ（Ｂ型肝炎）が陰性を示すマイナス、ＨＩＶ（ヒト免疫不全ウイルス）が検査中である旨が入力された状態が例として示されている。この他にも、ユーザは、各項目に対応するアナムネ情報入力画面を使って、血液検査などの各種の検査の状況、言語障害があるか、めがねやコンタクトレンズを使用しているかなどの障害の状況、および手術に不安があるかなどの心理状態などを入力する。以下、例えばＨＩＶという項目に対して「検査中」など、項目の内容を表す情報を「内容情報」として説明する。この内容情報は、アナムネ情報や術前訪問情報において、例えばＨＩＶなど項目を表す項目情報に対応付けられている。
【００３９】
ユーザによるアナムネ情報の入力後、ＯＫボタン１１４が押されると、アナムネ情報取得部８２は入力されたアナムネ情報を取得する。表示制御部９０は、アナムネ情報入力画面１１０を閉じると共に、アナムネ情報取得部８２によって取得されたアナムネ情報を図４に示すアナムネ情報リスト１０４に表示する。アナムネ情報リスト１０４には、図５で入力されたＨＢがマイナス、ＨＩＶが検査中である旨が例として表示されている。
【００４０】
ユーザによりこのようにアナムネ情報が入力され、登録ボタン１０６が押されると、アナムネ情報登録部８６はアナムネ情報を病棟情報サーバ２６に送信する（Ｓ１２）。病棟情報サーバ２６の受信部７２は、送信されたアナムネ情報を受信し、記憶部７４は受信したアナムネ情報を格納する（Ｓ１４）。こうしてユーザによって入力されたアナムネ情報が病棟情報サーバ２６に登録される。
【００４１】
医師や看護師などのユーザは、図６に示す術前訪問情報画面１２０を使って、手術情報クライアント端末１８に術前訪問情報を入力する（Ｓ１６）。表示制御部６０は、ユーザにより所定の入力操作が行われることにより、この術前訪問情報画面１２０をディスプレイ６２に表示する。
【００４２】
術前訪問情報画面１２０には、術前訪問情報入力欄１２２、登録ボタン１２４、およびアナムネ情報取り込みボタン１２６が表示されている。術前訪問情報入力欄１２２は、感染症、検査、リスク、障害、および心理のタブが設けられている。図６では、このうち感染症のタブが選択された状態を例として示している。
【００４３】
ユーザにより術前訪問情報入力欄１２２がクリックされると、クリックされた項目について入力値の欄が入力可能状態となる。ユーザは、この状態でキーボード６４およびマウス６６を使って術前訪問情報を入力する。図６には、ＨＢが陰性を示すマイナス、ＨＩＶが検査中である旨が入力された状態が例として示されている。この他にも、ユーザは、検査タブをクリックすることにより検査の状況を、リスクタブをクリックすることにより手術のリスクに関する内容情報を、障害タブをクリックすることにより障害の状況を、心理タブをクリックすることにより心理状態を、それぞれ入力することができる。
【００４４】
術前訪問情報が入力され、ユーザにより登録ボタン１２４がクリックされると、術前訪問情報登録部５６は術前訪問情報を手術情報サーバ１６に送信する（Ｓ１８）。手術情報サーバ１６の受信部４２は送信された術前訪問情報を受信し、記憶部４４は受信した術前訪問情報を格納する（Ｓ２０）。こうしてユーザによって入力された術前訪問情報が手術情報サーバ１６に登録される。以下、病棟情報クライアント端末２８のユーザが手術情報サーバ１６に登録された術前訪問情報を使ってアナムネ情報を更新する場合について説明する。
【００４５】
アナムネ情報画面１０２において術前訪問情報取り込みボタン１０８がユーザによりクリックされると（Ｓ２２）、指示入力取得部８４は、術前訪問情報とアナムネ情報との比較結果を表示する指示入力を取得し、送信部７０は、アナムネ情報画面１０２にアナムネ情報が表示された患者の患者ＩＤを含めた術前訪問情報の要求情報を手術情報サーバ１６に送信する（Ｓ２４）。
【００４６】
術前訪問情報の要求情報を受信すると、手術情報サーバ１６の送信部４０は、記憶部４４に格納された術前訪問情報の中から、要求情報に含められた患者ＩＤによって識別される術前訪問情報を病棟情報クライアント端末２８に送信する（Ｓ２６）。
【００４７】
術前訪問情報を受信すると、病棟情報クライアント端末２８の比較部８８は、アナムネ情報画面１０２に表示されたアナムネ情報と、受信した術前訪問情報とを比較し、表示制御部９０は、その比較結果をディスプレイ９２に表示して病棟情報クライアント端末２８のユーザに報知する（Ｓ２８）。
【００４８】
具体的には、比較部８８は、感染症情報、検査情報、リスク情報、障害情報、および心理情報などの各項目に関する内容情報が、アナムネ情報画面１０２に表示されたアナムネ情報、および受信した術前訪問情報の各々に含まれるか否かをまず判定する。表示制御部９０は、これらの項目の内容情報のうち、術前訪問情報に含まれるが、アナムネ情報に含まれていない内容情報がある場合、その旨をディスプレイ９２に表示する。
【００４９】
ある項目に関する内容情報がアナムネ情報および術前訪問情報の双方に含まれると判定した場合、比較部８８は、アナムネ情報に含まれるその項目に関する内容情報と術前訪問情報に含まれるその項目に関する内容情報とが相違するか否かを判定する。それらが相違する場合、表示制御部９０はその旨をディスプレイ９２に表示する。
【００５０】
図７は、このときにアナムネ情報と術前訪問情報との比較結果が表示される確認画面１３０を示す図である。図７には、アナムネ情報にＨＩＶが検査中である旨が登録されており、術前訪問情報にはＨＩＶが陰性を示すマイナスである旨が登録されている例が示されている。確認画面１３０には、ＯＫボタン１３２およびキャンセルボタン１３４が表示されている。
【００５１】
ＯＫボタン１３２がユーザによりクリックされると、表示制御部９０は、確認画面１３０を閉じると共に、前訪問情報に含まれるがアナムネ情報に含まれていない内容情報がある場合、その内容情報をアナムネ情報に含ませて、図４に示すアナムネ情報画面１０２に表示する。また、表示制御部９０は、アナムネ情報に含まれる内容情報と術前訪問情報に含まれる同一の項目に関する内容情報とが相違する場合、術前訪問情報に含まれるその項目に関する内容情報を、アナムネ情報に含まれるその項目に関する内容情報に差し替えるように変更してアナムネ情報画面１０２に表示する。図４に示す例であれば、この場合ＨＩＶの「検査中」の文字が、「−（マイナス）」の文字に差し替えて表示される。
【００５２】
キャンセルボタン１３４がユーザによりクリックされると、表示制御部９０は確認画面１３０を閉じる。このとき表示制御部９０は、術前訪問情報に含まれるが、アナムネ情報に含まれていない内容情報がある場合や、アナムネ情報に含まれる内容情報と術前訪問情報に含まれる同一の項目に関する内容情報とが相違する場合であっても、アナムネ情報画面１０２に表示される各項目に関する内容情報を変更しない。いずれかの項目についてアナムネ情報と術前訪問情報とが異なっている場合でも、例えばアナムネ情報の方が最近入力された適切なものであるなど、アナムネ情報を変更すべきでない場合がある。このような場合、ユーザはキャンセルボタン１３４をクリックすることにより術前訪問情報の取り込みを保留することができる。
【００５３】
また、ユーザにより術前訪問情報取り込みボタン１０８がクリックされたとき、比較部８８は、同じ項目についてアナムネ情報と術前訪問情報とに相違があるか否かを判定し（Ｓ３０）、相違がない場合（Ｓ３０のＮ）、Ｓ３２〜Ｓ４０の処理をスキップする。
【００５４】
同じ項目についてアナムネ情報と術前訪問情報とに相違がある場合（Ｓ３０のＹ）、送信部７８は、手術情報クライアント端末１８にその旨を通知する（Ｓ３２）。手術情報サーバ１６の受信部５０はその通知を受信し、表示制御部６０は、術前訪問情報画面１２０を表示する際などにその通知を表示し、項目名とともにアナムネ情報と術前訪問情報とに相違がある旨を表示する（Ｓ３４）。
【００５５】
病棟情報クライアント端末２８のユーザがある項目についてアナムネ情報と術前訪問情報とが相違していることを報告されたときに、アナムネ情報の方が適正である場合がある。この場合、手術情報サーバ１６に登録された術前訪問情報を病棟情報サーバ２６に登録されたアナムネ情報に一致させるべきである。そこで、手術情報クライアント端末１８に対してアナムネ情報と術前訪問情報とが相違していることを通知することで、手術情報クライアント端末１８のユーザもその旨を知ることができる。このため、手術情報サーバ１６に登録された術前訪問情報を変更すべき場合に手術情報クライアント端末１８のユーザに迅速な対応を促すことができる。尚、確認画面１３０においてキャンセルボタン１３４が押されたときはアナムネ情報の方が適正である場合が多いと考えられる。このため、確認画面１３０においてキャンセルボタン１３４がユーザにクリックされたときに、送信部７８は、アナムネ情報と術前訪問情報とに相違がある旨を手術情報クライアント端末１８に通知してもよい。
【００５６】
アナムネ情報登録部８６は、アナムネ情報画面１０２が表示されている間に登録ボタン１０６がユーザによりクリックされたか否かを判定する（Ｓ３６）。登録ボタン１０６がクリックされずにアナムネ情報画面１０２が閉じられた場合、アナムネ情報を再登録しない（Ｓ３６のＮ）。
【００５７】
アナムネ情報画面１０２において登録ボタン１０６がユーザにクリックされると（Ｓ３６のＹ）、指示入力取得部８４は、確認画面１３０に表示された、アナムネ情報と術前訪問情報の両者の相違点について、アナムネ情報を術前訪問情報に一致させる指示入力を取得する。
【００５８】
この指示入力が取得されると、アナムネ情報登録部８６は、術前訪問情報に含まれるが、アナムネ情報に含まれていない内容情報がある場合に、その内容情報をアナムネ情報に含ませるようアナムネ情報を再登録する。具体的には、アナムネ情報取得部８２は、術前訪問情報に含まれる内容情報のうち、アナムネ情報に含まれていなかった内容情報を取得し、アナムネ情報登録部８６は、取得した内容情報を患者ＩＤに対応付けて病棟情報サーバ２６に送信する（Ｓ３８）。病棟情報サーバ２６はその内容情報を受信し、その内容情報に対応付けられた患者ＩＤによって識別されるアナムネ情報を、その内容情報を含ませるよう書き換える（Ｓ４０）。
【００５９】
また、アナムネ情報登録部８６は、この指示入力が取得されると、アナムネ情報に含まれる内容情報と術前訪問情報に含まれる同一の項目に関する内容情報とが相違する場合には、術前訪問情報に含まれるその項目に関する内容情報をアナムネ情報に含まれる同一の項目に関する内容情報に差し替えてアナムネ情報を再登録する。
【００６０】
具体的には、この指示入力が取得されると、送信部７８は、術前訪問情報に含まれる内容情報のうちその項目に対応する内容情報を、アナムネ情報を識別する患者ＩＤに対応付けて病棟情報サーバ２６にまず送信する（Ｓ３８）。病棟情報サーバ２６はその内容情報を受信し、記憶部７４に格納されたアナムネ情報のうち、その内容情報に対応付けられた患者ＩＤによって識別されるアナムネ情報を特定する。病棟情報サーバ２６は、受信した内容情報に係る項目について、特定したアナムネ情報に含まれる内容情報を受信した内容情報に差し替えて記憶部７４に格納する（Ｓ４０）。例えば上述の例では、アナムネ情報登録部８６は、術前訪問情報に含まれる内容情報のうち、ＨＩＶが陰性である旨を示す内容情報を病棟情報サーバ２６に送信する。病棟情報サーバ２６は、記憶部７４に格納されているアナムネ情報に含まれるＨＩＶが検査中である旨を示す内容情報を、ＨＩＶが陰性である旨を示す内容情報に書き換える。
【００６１】
図８は、本実施形態に係る医療情報管理システム１０の動作手順の別の一例を示すフローチャートである。この図８に関連して、手術情報クライアント端末１８のユーザが病棟情報サーバ２６に登録されたアナムネ情報を使って術前訪問情報を更新する場合について説明する。Ｓ５０〜Ｓ６０の処理は、図３におけるＳ１０〜Ｓ２０の処理と同様であることから説明を省略する。以下、必要に応じて図６および図９に示す各画面を参照しながら医療情報管理システム１０の動作手順について説明する。
【００６２】
術前訪問情報画面１２０においてアナムネ情報取り込みボタン１２６がユーザによりクリックされると（Ｓ６２）、指示入力取得部５４は、術前訪問情報とアナムネ情報との比較結果を表示する指示入力を取得し、送信部７０は、術前訪問情報画面１２０に術前訪問情報が表示された患者ＩＤを含めたアナムネ情報の要求情報を、病棟情報サーバ２６に送信する（Ｓ６４）。
【００６３】
アナムネ情報の要求情報を受信すると、病棟情報サーバ２６の送信部７０は、記憶部７４に格納されたアナムネ情報の中から、要求情報に含められた患者ＩＤが示す患者と同一の患者に関するアナムネ情報を手術情報クライアント端末１８に送信する（Ｓ６６）。
【００６４】
アナムネ情報を受信すると、手術情報クライアント端末１８の比較部５８は、術前訪問情報画面１２０に表示された術前訪問情報と、受信したアナムネ情報とを比較し、表示制御部６０は、その比較結果をディスプレイ６２に表示して手術情報クライアント端末１８のユーザに報知する（Ｓ６８）。
【００６５】
具体的には、比較部５８は、感染症情報、検査情報、リスク情報、障害情報、および心理情報などの各項目に関する内容情報が、術前訪問情報画面１２０に表示された術前訪問情報、および受信したアナムネ情報の各々に含まれるか否かをまず判定する。表示制御部６０は、これらの項目の内容情報のうちアナムネ情報に含まれるが、術前訪問情報に含まれていない内容情報がある場合、その旨をディスプレイ６２に表示する。
【００６６】
ある項目に関する内容情報がアナムネ情報および術前訪問情報の双方に含まれる場合、比較部５８は、アナムネ情報に含まれるその項目に関する内容情報と術前訪問情報に含まれるその項目に関する内容情報とが相違するか否かを判定する。それらが相違する場合、表示制御部６０はその旨をディスプレイ６２に表示する。
【００６７】
図９は、このときにアナムネ情報と術前訪問情報との比較結果が表示される確認画面１３６を示す図である。図９には、術前訪問情報にＨＩＶが検査中である旨が登録されており、アナムネ情報にはＨＩＶが陰性を示すマイナスである旨が登録されている例が示されている。確認画面１３６には、ＯＫボタン１３８およびキャンセルボタン１４０が表示されている。
【００６８】
ＯＫボタン１３８がユーザによりクリックされると、表示制御部６０は、確認画面１３６を閉じると共に、アナムネ情報に含まれるが術前訪問情報に含まれていない内容情報がある場合、その内容情報を術前訪問情報に含ませて図６に示す術前訪問情報画面１２０に表示する。また、表示制御部６０は、アナムネ情報に含まれる内容情報と術前訪問情報に含まれる同一の項目に関する内容情報とが相違する場合、アナムネ情報に含まれるその項目に関する内容情報を、術前訪問情報に含まれる同一の項目に関する内容情報に差し替えるように変更して術前訪問情報画面１２０に表示する。図６に示す例であれば、この場合ＨＩＶの「検査中」の文字が、「−（マイナス）」の文字に差し替えて表示される。
【００６９】
キャンセルボタン１４０がユーザによりクリックされると、表示制御部６０は確認画面１３６を閉じる。このとき表示制御部６０は、アナムネ情報に含まれるが、術前訪問情報に含まれていない内容情報がある場合や、アナムネ情報に含まれる内容情報と術前訪問情報に含まれる同一の項目に関する内容情報とが相違する場合であっても、術前訪問情報画面１２０に表示する各項目に関する内容情報を変更しない。いずれかの項目についてアナムネ情報と術前訪問情報とが異なっている場合でも、例えば術前訪問情報の方が最近入力された適切なものであるなど、術前訪問情報を変更すべきでない場合がある。このような場合、ユーザはキャンセルボタン１４０をクリックすることによりアナムネ情報の取り込みを保留することができる。
【００７０】
また、ユーザによりアナムネ情報取り込みボタン１２６がクリックされると、比較部５８は、各項目についてアナムネ情報と術前訪問情報とに相違があるか否かを判定する（Ｓ７０）。相違がない場合（Ｓ７０のＮ）、Ｓ７２〜Ｓ８０の処理をスキップする。
【００７１】
同一の項目についてアナムネ情報と術前訪問情報とが相違する場合（Ｓ７０のＹ）、送信部４８は、病棟情報クライアント端末２８にその旨を通知する（Ｓ７２）。病棟情報サーバ２６の受信部５０はその通知を受信し、表示制御部９０は、術前訪問情報画面１２０を表示する際などにその通知を表示し、ある項目についてアナムネ情報と術前訪問情報とに相違がある旨を表示する（Ｓ７４）。
【００７２】
手術情報クライアント端末１８のユーザがある項目についてアナムネ情報と術前訪問情報とが相違していることを報告されたときに、術前訪問情報の方が適正である場合がある。この場合、病棟情報サーバ２６に登録されたアナムネ情報を手術情報サーバ１６に登録された術前訪問情報に一致させるべきである。そこで、病棟情報クライアント端末２８に対してアナムネ情報と術前訪問情報とが相違していることを通知することで、病棟情報クライアント端末２８のユーザもその旨を知ることができる。このため、病棟情報サーバ２６に登録されたアナムネ情報を変更すべき場合に病棟情報クライアント端末２８のユーザに迅速な対応を促すことができる。尚、確認画面１３６においてキャンセルボタン１４０が押されたときは術前訪問情報の方が適正である場合が多いと考えられる。このため、確認画面１３６においてキャンセルボタン１４０がユーザにクリックされたときに、送信部４８は、アナムネ情報と術前訪問情報とに相違がある旨を病棟情報クライアント端末２８に通知してもよい。
【００７３】
病棟情報クライアント端末２８のユーザがある項目についてアナムネ情報と術前訪問情報とが相違していることを報告されたときに、アナムネ情報の方が適正である場合がある。この場合、手術情報サーバ１６に登録された術前訪問情報を病棟情報サーバ２６に登録されたアナムネ情報に一致させるべきである。そこで、手術情報クライアント端末１８に対してアナムネ情報と術前訪問情報とが相違していることを通知することで、手術情報クライアント端末１８のユーザもその旨を知ることができる。このため、手術情報サーバ１６に登録された術前訪問情報を変更すべき場合に手術情報クライアント端末１８のユーザに迅速な対応を促すことができる。尚、確認画面１３０においてキャンセルボタン１３４が押されたときはアナムネ情報の方が適正である場合が多いと考えられる。このため、確認画面１３０においてキャンセルボタン１３４がユーザにクリックされたときに、送信部７８は手術情報クライアント端末１８に、アナムネ情報と術前訪問情報とに相違がある旨を通知してもよい。
【００７４】
術前訪問情報登録部５６は、術前訪問情報画面１２０が表示されている間に登録ボタン１２４がユーザによりクリックされたか否かを判定する（Ｓ７６）。登録ボタン１２４がクリックされずに術前訪問情報画面１２０が閉じられた場合、術前訪問情報を再登録しない（Ｓ７６のＮ）。
【００７５】
術前訪問情報画面１２０において登録ボタン１２４がユーザにクリックされると（Ｓ７６のＹ）、指示入力取得部５４は、確認画面１３６に表示された、アナムネ情報と術前訪問情報の両者の相違点について、術前訪問情報をアナムネ情報に一致させる指示入力を取得する。
【００７６】
この指示入力が取得されると、術前訪問情報登録部５６は、アナムネ情報に含まれるが、術前訪問情報に含まれていない内容情報がある場合に、その内容情報を術前訪問情報に含ませるよう術前訪問情報を再登録する。具体的には、術前訪問情報取得部５２は、アナムネ情報に含まれる内容情報のうち、術前訪問情報に含まれていなかった内容情報を取得し、術前訪問情報登録部５６は、取得された内容情報を患者ＩＤに対応付けて手術情報サーバ１６に送信する（Ｓ７８）。手術情報サーバ１６はその内容情報を受信し、その内容情報に対応付けられた患者ＩＤによって識別される術前訪問情報を、その内容情報を含ませるよう書き換える（Ｓ８０）。
【００７７】
手術情報クライアント端末１８のユーザが術前訪問情報を入力するとき、その患者は通常すでに病棟に入院し、その患者に関するアナムネ情報が手術情報サーバ１６に登録されている。手術情報クライアント端末１８のユーザは、これを利用して、例えば新規に術前訪問情報を手術情報クライアント端末１８に入力する場合に病棟情報サーバ２６に登録されたアナムネ情報を利用することができる。
【００７８】
この場合、ユーザは手術情報クライアント端末１８を使ってまず患者名や患者ＩＤなどの書誌的事項をまず入力し、感染症などの全ての項目、または一部の項目が未入力のまま術前訪問情報画面１２０のアナムネ情報取り込みボタン１２６をクリックする。これによって、術前訪問情報の対象となる患者と同一の患者に関するアナムネ情報が病棟情報サーバ２６に登録されている場合、手術情報クライアント端末１８にそのアナムネ情報が送信され、術前訪問情報として未入力の項目のうちアナムネ情報が有する内容情報がある場合はその内容情報がディスプレイ６２に表示される。ユーザにより術前訪問情報画面１２０の登録ボタン１２４がクリックされることにより、それらの内容情報を含めた術前訪問情報が手術情報サーバ１６に登録される。このように術前訪問情報取得部５２は、一部またはすべての項目に関する内容情報をアナムネ情報から取得して術前訪問情報を構成し、術前訪問情報登録部５６は、こうして取得した術前訪問情報を手術情報サーバ１６に登録する。これにより、手術情報クライアント端末１８のユーザの入力負担を軽減させることができる。
【００７９】
また、術前訪問情報登録部５６は、術前訪問情報をアナムネ情報に一致させる指示入力が取得されると、アナムネ情報に含まれる内容情報と術前訪問情報に含まれる同一の項目に関する内容情報とが相違する場合には、アナムネ情報に含まれるその項目に関する内容情報を、術前訪問情報に含まれる同一の項目に関する内容情報に差し替えて術前訪問情報を再登録する。
【００８０】
具体的には、この指示入力が取得されると、送信部４８はアナムネ情報に含まれる内容情報のうちその項目に対応する内容情報を、術前訪問情報を識別する患者ＩＤに対応付けて手術情報サーバ１６に送信する（Ｓ７８）。手術情報サーバ１６は、その内容情報を受信し、記憶部４４に格納された術前訪問情報のうち、その内容情報に対応付けられた患者ＩＤによって識別される術前訪問情報を特定し、受信した内容情報に係る項目について、特定した術前訪問情報に含まれる内容情報を受信した内容情報に差し替えて記憶部４４に格納する（Ｓ８０）。例えば上述の例では、術前訪問情報登録部５６は、アナムネ情報に含まれる内容情報のうち、ＨＩＶが陰性である旨を示す内容情報を手術情報サーバ１６に送信する。手術情報サーバ１６は、記憶部４４に格納されている術前訪問情報に含まれるＨＩＶが検査中である旨を示す内容情報を、ＨＩＶが陰性である旨を示す内容情報に書き換える。
【００８１】
図１０は、指示・情報発行画面１４２を示す図である。ここで、ＮＳは病棟（ナースステーション）を示し、ＯＲは手術室（オペレーションルーム）を示す。病棟の看護師などは、手術室の看護師などに指示したい場合がある。逆に手術室の医師や看護師は、病棟の看護師に指示した場合がある。しかし、口頭や紙によってこれらの指示を相手方に伝える場合、正確に指示が伝わらなかったり、迅速に指示を伝えることができない場合がある。このため、本実施形態に係る医療情報管理システム１０では、病棟と手術室との間の相互の指示の伝達に指示・情報発行画面１４２が用いられる。以下、表示制御部６０および表示制御部９０を総称して単に表示制御部とし、ディスプレイ６２およびディスプレイ９２を総称して単にディスプレイとして説明する。
【００８２】
表示制御部は、ユーザによって所定の操作が行われることにより指示・情報発行画面１４２をディスプレイに表示する。指示・情報発行画面１４２には、基本情報表示欄１４４、種別選択欄１４６、緊急度選択欄１４８、タイトル入力欄１５０、本文入力欄１５２、確認ボタン１５４、およびキャンセルボタン１５６が表示される。
【００８３】
基本情報表示欄１４４には、病棟、患者ＩＤ、患者名、入力日、看護師の所属病棟と氏名などの書誌的事項が表示される。種別選択欄１４６はプルダウンメニューとなっており、ユーザは種別選択欄１４６をクリックすることにより、入力する内容が「情報」か「指示」かを選択することができる。緊急度選択欄１４８もプルダウンメニューとなっており、ユーザは緊急度選択欄１４８をクリックすることにより、入力する内容の緊急度が「通常」か「緊急」かを選択することができる。タイトル入力欄１５０には概要を示すタイトルを入力することができ、本文入力欄１５２には内容を詳細に示す本文を入力することができる。
【００８４】
ユーザによりキャンセルボタン１５６がクリックされると、表示制御部は指示・情報発行画面１４２を閉じる。ユーザにより確認ボタン１５４がクリックされると、表示制御部は指示・情報発行画面１４２を閉じ、図１１に示す指示・情報一覧画面１６０をディスプレイに表示する。指示・情報一覧画面１６０ではリスト欄１６２が表示され、指示・情報発行画面１４２において入力された内容がリスト化されてこのリスト欄１６２に表示される。
【００８５】
また、手術情報クライアント端末１８または病棟情報クライアント端末２８は、指示・情報発行画面１４２の確認ボタン１５４がクリックされた場合に、入力された内容を手術情報サーバ１６および病棟情報サーバ２６の双方に登録する。指示・情報一覧画面１６０を開いた状態で、相手側から送信された情報や指示が表示されるリスト欄１６２において、表示された情報または指示がユーザによりクリックさることにより、表示制御部は、図１２に示す指示・情報表示画面１６４をディスプレイに表示する。なお、手術情報クライアント端末１８では「ＮＳ→ＯＲ」と表示されたタブをクリックして表示されたリスト欄１６２が、病棟情報クライアント端末２８では「ＯＲ→ＮＳ」と表示されたタブをクリックして表示されたリスト欄１６２が、それぞれ相手側から送信された情報や指示が表示されるリスト欄１６２となる。
【００８６】
指示・情報表示画面１６４には、基本情報表示欄１６６、指示・情報表示欄１６８、コメント入力欄１７０、確認ボタン１７２、返信ボタン１７４、キャンセルボタン１７６、および完了チェックボックス１７８が表示される。基本情報表示欄１６６には、指示・情報発行画面１４２の基本情報表示欄１４４で表示されていた内容が表示される。指示・情報表示欄１６８には、記入日、記入者の所属と氏名が上方に表示され、また指示・情報発行画面１４２の本文入力欄１５２で入力された内容が表示される。
【００８７】
これに対し、ユーザはコメント入力欄１７０に、指示・情報表示欄１６８で表示された質問に対する回答などを入力することができる。ユーザによりキャンセルボタン１７６がクリックされると、表示制御部は指示・情報表示画面１６４を閉じる。ユーザにより確認ボタン１７２がクリックされると、表示制御部は指示・情報表示画面１６４を閉じ、それと共に手術情報クライアント端末１８または病棟情報クライアント端末２８は、手術情報サーバ１６および病棟情報サーバ２６の双方に、確認が済んだステータスを示す情報を登録する。ユーザにより返信ボタン１７４がクリックされると、表示制御部は指示・情報表示画面１６４を閉じ、それと共に手術情報クライアント端末１８または病棟情報クライアント端末２８は、手術情報サーバ１６および病棟情報サーバ２６の双方に、情報または指示の確認が済んだステータスを示す情報、およびコメント入力欄１７０に入力された内容を登録する。なお、確認ボタン１７２または返信ボタン１７４がユーザにクリックされたときに完了チェックボックス１７８にチェックが入力されていた場合に、手術情報クライアント端末１８または病棟情報クライアント端末２８は、情報または指示を完了したステータスを示す情報も併せて手術情報サーバ１６および病棟情報サーバ２６の双方に登録する。
【００８８】
図１３は、このようにして手術情報サーバ１６または病棟情報サーバ２６に登録された情報または指示を示すデータ構造を示す図である。指示・情報発行画面１４２で入力された内容は「問題情報」のカテゴリに、指示・情報表示画面１６４での確認状況などは「確認情報」のカテゴリに、それぞれ登録される。なお、「確認情報」のうち、「対象」は、病棟から手術室へのものか（ＮＳ→ＯＲ）、手術室から病棟へのものか（ＯＲ→ＮＳ）を示し、「レス数」は返信ボタン１７４が押されることにより相手側から返信された数を示し、「ＮＳ読」は病棟において「確認済み」のステータスになっているか否か、「ＯＲ読」は手術室において「確認済み」のステータスになっているか否かを示す。
【００８９】
本発明は上述の実施形態に限定されるものではなく、また、当業者の知識に基づいて各種の設計変更等の変形を上述の実施形態に対して加えることも可能であり、そのような変形が加えられた実施形態も本発明の範囲に含まれうる。以下、そうした例をあげる。
【００９０】
ある変形例では、アナムネ情報画面１０２に、過去アナムネ情報取り込みボタンが表示される。病棟情報クライアント端末２８のユーザは、このボタンを使って、例えば新規にアナムネ情報を病棟情報クライアント端末２８に入力する場合に、病棟情報サーバ２６に登録された過去のアナムネ情報を利用することができる。この場合、ユーザは病棟情報クライアント端末２８を使ってまず患者名や患者ＩＤなどの書誌的事項をまず入力し、感染症などの全ての項目、または一部の項目が未入力のまま、この過去アナムネ情報取り込みボタンをクリックする。
【００９１】
このボタンがクリックされると、指示入力取得部８４は、過去のアナムネ情報を取り込む指示入力を取得し、送信部７０はアナムネ情報画面１０２にアナムネ情報が表示された患者ＩＤを含めた過去のアナムネ情報の要求情報を病棟情報サーバ２６に送信する。
【００９２】
同一の患者が同じ病院の同じ病棟に再び入院することがある。この場合、過去にその病棟に入院したときの過去のアナムネ情報が病棟情報サーバ２６に登録されている。病棟情報サーバ２６は、過去のアナムネ情報の要求情報を受信すると、記憶部７４に格納されたアナムネ情報の中から、要求情報に含められた患者ＩＤが示す患者と同一の患者に関する過去のアナムネ情報を検索する。同一の患者に関する過去のアナムネ情報がある場合、病棟情報サーバ２６は、それを病棟情報クライアント端末２８に送信する。さらにユーザによりアナムネ情報画面１０２の登録ボタン１０６がクリックされることにより、それらの内容情報を含めた新しいアナムネ情報が病棟情報サーバ２６に登録される。このようにアナムネ情報取得部８２は、一部またはすべての項目に関する内容情報を過去のアナムネ情報から取得してアナムネ情報を構成し、アナムネ情報登録部８６は、こうして取得したアナムネ情報を病棟情報サーバ２６に登録する。このような態様によっても、病棟情報クライアント端末２８のユーザの入力負担を軽減させることができる。
【００９３】
また別の変形例では、術前訪問情報画面１２０に、過去術前訪問情報取り込みボタンが表示される。手術情報クライアント端末１８のユーザはこのボタンを使って、例えば新規に術前訪問情報を手術情報クライアント端末１８に入力する場合に、手術情報サーバ１６に過去に登録された術前訪問情報を利用することができる。この場合、ユーザは手術情報クライアント端末１８を使ってまず患者名や患者ＩＤなどの書誌的事項をまず入力し、感染症などの全ての項目、または一部の項目が未入力のまま、この過去術前訪問情報取り込みボタンをクリックする。
【００９４】
このボタンがクリックされると、指示入力取得部５４は、過去の術前訪問情報を取り込む指示入力を取得し、送信部４０は術前訪問情報画面１２０に術前訪問情報が表示された患者ＩＤを含めた過去の術前訪問情報の要求情報を手術情報サーバ１６に送信する。
【００９５】
同一の患者が同じ病院の同じ手術室部門で手術を受けることがある。この場合、過去にその手術室部門で手術を受けたときの過去の術前訪問情報が手術情報サーバ１６に登録されている。手術情報サーバ１６は、過去の術前訪問情報の要求情報を受信すると、記憶部４４に格納された術前訪問情報の中から、要求情報に含められた患者ＩＤが示す患者と同一の患者に関する過去の術前訪問情報を検索する。同一の患者に関する過去の術前訪問情報がある場合、手術情報サーバ１６は、それを病棟情報クライアント端末２８に送信する。さらにユーザにより術前訪問情報画面１２０の登録ボタン１２４がクリックされることにより、それらの内容情報を含めた新しい術前訪問情報が手術情報サーバ１６に登録される。このように術前訪問情報取得部５２は、一部またはすべての項目に関する内容情報を過去の術前訪問情報から取得して術前訪問情報を構成し、術前訪問情報登録部５６は、こうして取得した術前訪問情報を手術情報サーバ１６に登録する。このような態様によっても、手術情報クライアント端末１８のユーザの入力負担を軽減させることができる。
【００９６】
ある別の変形例では、病棟情報クライアント端末２８のユーザは、例えば新規にアナムネ情報を病棟情報クライアント端末２８に入力する場合に、手術情報サーバ１６に登録された術前訪問情報を利用する。この場合、ユーザは病棟情報クライアント端末２８を使ってまず患者名や患者ＩＤなどの書誌的事項をまず入力し、感染症などの全ての項目、または一部の項目が未入力のままアナムネ情報画面１０２の術前訪問情報取り込みボタン１０８をクリックする。これによって、アナムネ情報の対象となる患者と同一の患者に関する術前訪問情報が手術情報サーバ１６に登録されている場合、病棟情報クライアント端末２８にその術前訪問情報が送信され、アナムネ情報として未入力の項目のうち術前訪問情報が有する内容情報がある場合はその内容情報がディスプレイ９２に表示される。ユーザによりアナムネ情報画面１０２の登録ボタン１０６がクリックされることにより、それらの内容情報を含めたアナムネ情報が病棟情報サーバ２６に登録される。このようにアナムネ情報取得部８２は、一部またはすべての項目に関する内容情報を術前訪問情報から取得してアナムネ情報を構成し、アナムネ情報登録部８６は、こうして取得したアナムネ情報を病棟情報サーバ２６に登録する。
【００９７】
病棟に入院する患者が以前手術室部門で手術を受けた場合、その患者の術前訪問情報が手術情報サーバ１６に登録されている場合がある。この変形例では、このように以前に手術情報サーバ１６に登録された術前訪問情報を利用して、病棟情報クライアント端末２８のユーザの入力負担を軽減させることができる。
【００９８】
ある別の変形例では、手術情報クライアント端末１８が記憶部４４を有するとともに、サーバとしての機能を有する。また病棟情報クライアント端末２８が記憶部７４を有すると共にサーバとしての機能を有する。この変形例において、手術室ネットワーク２０には手術室用の携帯端末が接続されており、病棟ネットワーク３０には病棟用の携帯端末が接続されている。
【００９９】
例えば手術室部門の看護師は、手術室用の携帯端末を使って術前訪問情報を入力する。手術情報クライアント端末１８において、術前訪問情報取得部は携帯端末に入力された術前訪問情報を取得して記憶部４４に格納し、比較部は、取得した術前訪問情報と病棟情報クライアント端末２８に登録されたアナムネ情報とを比較する。手術情報クライアント端末１８は手術室用の携帯端末に比較結果を送信し、手術室用の携帯端末は比較結果を携帯端末に設けられたディスプレイに表示する。手術室用の携帯端末のユーザは、「登録ボタン」を押すなど携帯端末に所定の入力を行い、術前訪問情報に含まれる内容情報をアナムネ情報に含まれる同一の項目についての内容情報に一致させるよう術前訪問情報を手術情報クライアント端末１８に再登録する。
【０１００】
また、例えば病棟の看護師は、病棟用の携帯端末を使ってアナムネ情報を入力する。手術情報クライアント端末１８において、アナムネ情報取得部は携帯端末に入力されたアナムネ情報を取得して記憶部７４に格納し、比較部は、取得したアナムネ情報と手術情報クライアント端末１８に登録された術前訪問情報とを比較する。病棟情報クライアント端末２８は病棟用の携帯端末に比較結果を送信し、病棟用の携帯端末は比較結果を携帯端末に設けられたディスプレイに表示する。病棟用の携帯端末のユーザは、「登録ボタン」を押すなど携帯端末に所定の入力を行い、アナムネ情報に含まれる内容情報を術前訪問情報に含まれる同一の項目についての内容情報に一致させるようアナムネ情報を病棟情報クライアント端末２８に再登録する。このようにサーバ側でアナムネ情報と術前訪問情報とを比較しても、アナムネ情報と術前訪問情報とが相違する場合に、クライアント端末として機能する携帯端末のユーザにその旨を報知することができる。
【図面の簡単な説明】
【０１０１】
【図１】本実施形態に係る医療情報管理システムの全体構成図である。
【図２】本実施形態に係る医療情報管理システムの機能ブロック図である。
【図３】本実施形態に係る医療情報管理システムの動作手順の一例を示すフローチャートである。
【図４】アナムネ情報画面を示す図である。
【図５】アナムネ情報入力画面を示す図である。
【図６】術前訪問情報画面を示す図である。
【図７】確認画面を示す図である。
【図８】本実施形態に係る医療情報管理システムの動作手順の別の一例を示すフローチャートである。
【図９】確認画面を示す図である。
【図１０】指示・情報発行画面を示す図である。
【図１１】指示・情報一覧画面を示す図である。
【図１２】指示・情報表示画面を示す図である。
【図１３】手術情報サーバまたは病棟情報サーバに登録された情報または指示を示すデータ構造を示す図である。
【符号の説明】
【０１０２】
１０  医療情報管理システム、  １２  手術情報管理システム、  １４  病棟情報管理システム、  １６  手術情報サーバ、  １８  手術情報クライアント端末、  ２６  病棟情報サーバ、  ２８  病棟情報クライアント端末、  ４４  記憶部、  ５２  術前訪問情報取得部、  ５４  指示入力取得部、  ５６  術前訪問情報登録部、  ５８  比較部、  ６０  表示制御部、  ７４  記憶部、  ８２  アナムネ情報取得部、  ８４  指示入力取得部、  ８６  アナムネ情報登録部、  ８８  比較部、  ９０  表示制御部。
【図１】
2008217618.tif 000003
【図２】
2008217618.tif 000004
【図３】
2008217618.tif 000005
【図４】
2008217618.tif 000006
【図５】
2008217618.tif 000007
【図６】
2008217618.tif 000008
【図７】
2008217618.tif 000009
【図８】
2008217618.tif 000010
【図９】
2008217618.tif 000011
【図１０】
2008217618.tif 000012
【図１１】
2008217618.tif 000013
【図１２】
2008217618.tif 000014
【図１３】
2008217618.tif 000015